(57)【要約】【課題】  臭気路等に破損が生じるのを未然に防止することができる廃棄物処理設備の臭気処理機構を提供する。【解決手段】  本発明の廃棄物処理設備１の臭気処理機構は、廃棄物が蓄積されたごみピット２と、ごみピット２内の臭気ガスに含まれる塵埃を除去するフィルタ８と、ごみピット２と、ボイラ７とをフィルタ８を介して連通し、ごみピット２の臭気ガスを通過させる臭気路９とを有している。また、この臭気処理機構は、臭気路９内部と外部とを連通し、臭気路９内に外気を導入する外気導入路１１と、外気導入路１１に設けられ、臭気路９内部と外部との連通を遮断する開閉装置１１ｂと、圧力センサ１３によって検知された臭気路９内部の圧力が所定の圧力値を下回ると、開閉装置１１ｂを開状態とし、臭気路９内部と外部とを連通させる制御装置１２とをさらに備えている。【選択図】      図１
2008281237.tif 000002
【特許請求の範囲】
【請求項１】
脱臭装置を備えた廃棄物処理設備の臭気処理機構であって、
廃棄物が蓄積されたごみピットと、
前記ごみピット内の臭気ガスに含まれる塵埃を除去するフィルタと、
前記ごみピットと、前記脱臭装置とを前記フィルタを介して連通し、前記ごみピットの臭気ガスを通過させる臭気路と、
前記臭気路内部を吸引することで、臭気ガスを前記ごみピット内部から吸引し前記脱臭装置に導入する吸引手段と、
前記臭気路内部と外部とを連通し、前記臭気路内に外気を導入する外気導入路と、
前記外気導入路に設けられ、前記臭気路内部と外部との連通を遮断する遮断手段と、
前記臭気路内部の圧力を検知する検知手段と、
前記検知手段によって検知された圧力が所定の圧力値を下回ると、前記遮断手段による遮断を解除させ、前記臭気路内部と外部とを連通させる制御手段と、を備えたことを特徴とする廃棄物処理設備の臭気処理機構。
【請求項２】
前記脱臭装置が、エネルギー回収のための燃焼装置である請求項１に記載の廃棄物処理設備の臭気処理機構。
【請求項３】
前記遮断手段が遮断を解除すると、当該遮断手段が遮断を解除したことを操作者に報知する報知手段をさらに備えている請求項１又は２に記載の廃棄物処理設備の臭気処理機構。
【発明の詳細な説明】
【技術分野】
【０００１】
本発明は、可燃ごみ等の廃棄物を処理するための廃棄物処理設備に用いられる脱臭機構に関する。
【背景技術】
【０００２】
可燃ごみ等の廃棄物を処理するための廃棄物処理設備には、脱臭機構を備えたものがある。
このような脱臭機構には、廃棄物が蓄積されたごみピットと、ごみピット内の臭気ガスに含まれるダストを除去する吸気フィルタとを有し、吸気フィルタを通過させたごみピット内の臭気ガスをガスタービンの圧縮機によって吸引することで、このガスタービンのタービンを駆動する高温ガスを生成するための燃焼装置に導入し、臭気ガスをこの燃焼装置によって燃焼することで、脱臭するものがある（例えば、特許文献１参照）。
【０００３】
【特許文献１】特開２００２−２４９７９１号公報（図１）
【発明の開示】
【発明が解決しようとする課題】
【０００４】
上記従来の脱臭機構では、ごみピットと、燃焼装置とは、吸気フィルタ及び圧縮機を介して、軽量かつ安価なスパイラル管等からなる臭気路によって繋ぐことで臭気ガスを燃焼装置に導入している。吸気フィルタは、臭気ガスに含まれるダストを捕集するが、当該脱臭機構の操業時間の経過に伴って当該吸気フィルタには目詰まりが生じて劣化し、経時的に臭気ガスの通過量が減少する場合があった。このように、吸気フィルタにおける臭気ガスの通過量が減少すると、ごみピットと燃焼装置とを繋ぐ臭気路の内部圧力が大きく低下して高い負圧状態となり、当該臭気路に破損が生じたり、臭気路を構成する配管の接続部等が破損したりするといった問題を有していた。
他方、臭気路を構成する配管に上記のスパイラル管よりも肉厚の厚い頑丈な配管とすることで破損を防止することが考えられるが、コスト高を招くとともに、臭気路自体が重くなり、配設作業が危険なものとなるため、好ましくない。
本発明はこのような事情に鑑みてなされたものであり、臭気路等に破損が生じるのを未然に防止することができる廃棄物処理設備の脱臭機構を提供することを目的とする。
【課題を解決するための手段】
【０００５】
本発明は、脱臭装置を備えた廃棄物処理設備の臭気処理機構であって、廃棄物が蓄積されたごみピットと、前記ごみピット内の臭気ガスに含まれる塵埃を除去するフィルタと、前記ごみピットと、前記脱臭装置とを前記フィルタを介して連通し、前記ごみピットの臭気ガスを通過させる臭気路と、前記臭気路内部を吸引することで、臭気ガスを前記ごみピット内部から吸引し前記脱臭装置に導入する吸引手段と、前記臭気路内部と外部とを連通し、前記臭気路内に外気を導入する外気導入路と、前記外気導入路に設けられ、前記臭気路内部と外部との連通を遮断する遮断手段と、前記臭気路内部の圧力を検知する検知手段と、前記検知手段によって検知された圧力が所定の圧力値を下回ると、前記遮断手段による遮断を解除させ、前記臭気路内部と外部とを連通させる制御手段と、を備えたことを特徴としている。
【０００６】
上記のように構成された廃棄物処理設備の臭気処理機構によれば、臭気路内部の圧力が所定の圧力値以下になると、制御手段が、外気導入路を介して臭気路内部と外部とを連通させ、当該臭気路内部に外気が導入される。このため、臭気路内部は、前記所定の圧力値からさらに低い圧力値となるのを防止することができる。この結果、フィルタが経時的に劣化し当該フィルタを通過する臭気ガスの通過量が減少したとしても、臭気路の内部圧力が負圧になることによる臭気路等の破損を未然に防止することができる。
【０００７】
また、前記脱臭装置は、エネルギー回収のための燃焼装置であることが好ましく、この場合、専用の脱臭装置を用意せずとも、燃焼装置が脱臭装置を兼ねることができ、低コスト化が可能となる。なお、燃焼装置が脱臭装置を兼ねる構成とした場合、上記従来例のように臭気路等の破損が生じると、燃焼装置を停止させなければならない場合があり、その結果、エネルギーの回収率が低下し廃棄物処理効率が低下してしまうおそれがあるが、本発明によれば、臭気路等の破損を未然に防止できるので、燃焼装置の停止要因を減らすことができ、廃棄物処理効率を低下させてしまうのを回避できる。
【０００８】
また、上記廃棄物処理設備の臭気処理機構において、前記遮断手段が遮断を解除すると、当該遮断手段が遮断を解除したことを操作者に報知する報知手段をさらに備えていてもよい。
臭気路の内部圧力が低下するのは、フィルタが経時的に劣化しフィルタを通過する臭気ガスの通過量が減少したためであり、臭気路の内部圧力が所定の圧力値以下になり遮断手段が遮断を解除したことを、報知手段によって、操作者に報知することで、当該操作者にフィルタの劣化を認識させることができる。
【発明の効果】
【０００９】
以上のように、本発明の廃棄物処理設備の脱臭機構によれば、外気導入路より空気を導入することで、臭気路等に破損が生じるのを未然に防止することができる。
【発明を実施するための最良の形態】
【００１０】
次に、本発明の好ましい実施形態について添付図面を参照しながら説明する。図１は、本発明の一実施形態に係る廃棄物処理設備の脱臭機構の概略図である。
図１において、廃棄物処理設備１は、廃棄物が蓄積されたごみピット２と、ごみピット２内に蓄積された廃棄物を圧縮する圧縮プレス３と、圧縮プレス３によって圧縮された廃棄物を溶融処理するための高温反応炉４とを備えている。
ごみピット２内部の廃棄物は、搬送路３ａ，４ａによって、ごみピット２から、圧縮プレス３を経て、高温反応炉４に投入される。
圧縮プレス３は、ごみピット２から搬送された廃棄物を所定量ごとに圧縮することで、高温反応炉４に投入できる状態に廃棄物を調製する。
高温反応炉４は、その炉内が例えば１０００〜２０００℃に保持されており、圧縮プレス３で圧縮された廃棄物を炉内に投入することで、当該廃棄物をガス化、溶融し、スラグと、燃焼可能な燃料ガスとが得られるように構成されている。
高温反応炉４にて得られたスラグは、所定の処理が施されて資源として再利用される。一方、高温反応炉４にて得られる燃焼ガスは、精製処理設備５を介して、発電設備６の駆動源であるボイラ７に導入され、ボイラ７の有する燃焼装置の燃料ガスとして再利用される。その後、燃料ガスの燃焼によって得られる熱は、ボイラ７によって、高圧蒸気とされ、発電設備６によって電気エネルギーとして回収される。なお、この回収された電気エネルギーは、廃棄処理設備１を稼働させるために使用される。
【００１１】
次に、廃棄物処理設備１の脱臭機構について説明する。
脱臭機構は、ごみピット２内部の臭気ガスに含まれる塵埃を除去するフィルタ８と、ごみピット２内部とボイラ７の燃焼装置とをフィルタ８を介して連通し、臭気ガスを通過させる臭気路９とを備えている。
フィルタ８は、臭気ガス等の気体の通過を許容しつつその気体に含まれる塵埃を捕集するものであり、上述のように、ごみピット２内部の臭気ガスは、このフィルタ８を通過することで、臭気ガスに含まれる塵埃が除去され、ごみピット２から臭気路９内部に吸引される。
【００１２】
臭気路９は、例えば、金属製の薄板を筒状に形成したパイプ材が用いられており、外気が臭気路９内部に流入しない程度の気密性を有するものである。
この臭気路９には、ごみピット２内部の臭気ガスを吸引し、脱臭装置としてのボイラ７の燃焼装置に導入するための吸引手段である押込送風機１０が配設されている。押込送風機１０は、吸気ファンを備えており、この吸気ファンを回転させることで、一定の吸引力をもって、臭気路９内部の空気や臭気ガス等を吸引し、ボイラ７へ向けて排気する。
【００１３】
また、臭気路９には、臭気路９内部と外部とを連通し、臭気路９内部に外気を導入するための外気導入路１１が接続されている。外気導入路１１は、フィルタ８と押込送風機１０との間の位置に接続されており、その先端側には、外部に開口し外気を吸引するための開口部１１ａを有している。また、この外気導入路１１には、例えばバタフライ弁等をステッピングモータで動作させる開閉装置１１ｂが設けられており、この開閉装置１１ｂを開閉することで、臭気路９内部と外部との連通を遮断することができる。つまり、この開閉装置１１ｂは、臭気路９内部と外部との連通を遮断する遮断手段を構成している。
開閉装置１１ｂには、当該開閉装置１１ｂの動作を制御するための制御装置１２が接続されている。この制御装置１２は、開閉装置１１ｂのステッピングモータ等を制御することで、その開度を連続的に調節制御することができるように構成されている。
また、制御装置１２には、臭気路９に取り付けられ臭気路９内部の圧力を計測するための圧力センサ１３が接続されている。制御装置１２は、圧力センサ１３が出力する臭気路９内部の圧力値に基づいて開閉装置１１ｂの開度を調節する。
また、制御装置１２は、後述するように、開閉装置１１ｂの開度を調節することにより、臭気路９内部の圧力値が所定の圧力値以下とならないように制御するように構成されている。さらに、制御装置１２は、臭気路９内部に吸引される外気の量が必要最低限となるように開閉装置１１ｂの開度を調整制御するように構成されており、これによって、臭気路９内部の圧力値を調整するために補助的に外気導入路１１から外気を導入しつつ、ごみピット２内部の臭気ガスを優先的に吸引させることができる。
【００１４】
なお、圧力センサ１３は、外気導入路１１と臭気路９との接続部９ａよりも押込送風機１０側に接続されていることが好ましい。この場合、外気導入路１１から導入される外気の影響を考慮しつつ臭気路９内部の圧力値を得ることで、燃焼装置が必要とする空気量（押込送風機１０が必要とする空気量）を正確に把握できるので、制御装置１２は、より正確に臭気路９内部の圧力値を調整することができるとともに、ごみピット２内部の臭気ガスをより効果的に吸引させることができる。
また、制御装置１２には、廃棄物処理設備１を操作する操作者に開閉装置１１ｂの開閉状態を表示する報知手段としての表示装置１５が接続されている。この表示装置１５は、モニター等によって、開閉装置１１ｂの状態を表示し、作業者が目視確認することで、当該作業者に開閉装置１１ｂの状態を認識させることができる。
【００１５】
さらに、臭気路９には、この臭気路９内部と圧縮プレス３の内部と連通するガス通路１４が接続されている。ガス通路１４は、外気導入路１１と同様、フィルタ８と押込送風機１０との間の位置に接続されている。圧縮プレス３内部の内部ガスには、高温反応炉４からの燃料ガスが漏洩し、この燃料ガスが混入するおそれがあるが、このガス通路１４によって、圧縮プレス３内部の内部ガスを吸引し、ボイラ７の燃焼装置に導入することで、圧縮プレス３へ漏洩した燃料ガスを回収し燃焼することができる。従って、漏洩した燃料ガスが外部に放出されるのを防止できる。燃料ガスには一酸化炭素等の人体に有害なガスが含まれているため、当該燃料ガスが外部に放出されるのを防止することで、安全性を高めることができる。
なお、この脱臭機構を構成している臭気路９、外気導入路１１、ガス通路１４等は、開口部１１ａ以外の部位において、配管内部のガスが外部に漏洩したり、外部から配管内部に外気が吸引されない程度の気密性をもって構成されている。
【００１６】
次に、上記のように構成された廃棄物処理設備１の脱臭機構における動作について、説明する。
ごみピット２内部の臭気ガスをボイラ７に導入すべく、押込送風機１０を作動させると、臭気路９内部は、ボイラ７に向けて吸引されるので、ごみピット２内部の臭気ガスは、フィルタ８を通過して、臭気路９内部に吸引され、ボイラ７の燃焼装置に導入される。このとき、臭気路９内部の圧力は、押込送風機１０の吸引によって、若干大気圧よりも低くなる。
臭気ガスは、ボイラ７の燃焼装置に導入されて、高温反応炉４からの燃料ガスとともに燃焼に供されることで脱臭される。
また、フィルタ８は、ごみピット２内部の臭気ガスに含まれる塵埃を捕集するものであるので、操業時間の経過に応じて目詰まりが生じ、経時的に塵埃の除去効果が低下するとともに臭気ガスの通過量が減少するといった劣化が生じる。このように、フィルタ８が経時的に劣化することで、フィルタ８を通過する臭気ガスの通過量が減少した場合、押込送風機１０は一定の吸引力で臭気路９内部を吸引する一方、フィルタ８を介して臭気路９内部に吸引される臭気ガスの量が減少するので、臭気路９内部の圧力はより低下しようとする。
このとき、臭気路９内部の圧力値を検知している圧力センサ１３の出力に基づいて、臭気路９内部が所定の圧力値を下回ったことを制御装置１２が認識すると、制御装置１２は、開閉装置１１ｂを作動させ、大気導入路１１を連通させる。これによって、臭気路９内部に外気を導入し、所定の圧力値以上となるように調整する。また、制御装置１２は、圧力センサ１３が検知する圧力値に応じて、開閉装置１１ｂの開度を調節し、臭気路９内部が所定の圧力値以上となるように制御する。
なお、ここで、所定の圧力値は、臭気路９が内側に潰れたり、他の部分に破損が生じない程度となる圧力値に設定される。
【００１７】
上記のように本実施形態の廃棄物処理設備１の臭気処理機構によれば、臭気路９内部の圧力値が所定の圧力値を下回ると、制御装置１２が、開閉装置１１ｂを作動させることで、外気導入路１１を介して臭気路９内部と外部とを連通させ、当該臭気路９内部に外気が導入される。このため、臭気路９内部は、所定の圧力値からさらに低い圧力値となるのを防止することができる。この結果、フィルタ８が経時的に劣化し当該フィルタ８を通過する臭気ガスの通過量が減少したとしても、臭気路９の内部圧力が大きく負圧になることによって、臭気路９が内側に潰れて破損したり、その他、配管の接続部分が破損したり、といったことを未然に防止することができる。
【００１８】
また、上記実施形態において、臭気路９の内部圧力が低下するのは、フィルタ８が経時的に劣化し、フィルタ８を通過する臭気ガスの通過量が減少したためであり、開閉装置１１ｂの状態を操作者に表示する表示装置１５を備えることによって、臭気路９内部の圧力値が所定の圧力値以下になり開閉装置１１ｂが臭気路９の内外の連通の遮断を解除したことを操作者に報知することができ、この結果、当該操作者にフィルタ８の劣化を認識させることができる。
すなわち、操作者は、フィルタ８が劣化しその交換時期の到来を、フィルタ８自身を点検せずとも表示装置によって容易に認識することができるので、当該脱臭機構のメンテナンス性が高まる。
【００１９】
また、本実施形態では、ボイラ７の燃焼装置に臭気を導入するが、例えば上記従来例のように臭気路９等に破損が生じると、当該燃焼装置を停止させなければならない場合があり、その結果、発電設備６による電気エネルギーの回収率が低下し、得られた電気エネルギーで施設を稼働させている場合には、廃棄物処理効率が低下してしまうおそれがある。しかし、本実施形態によれば、臭気路９の破損を未然に防止できるので、燃焼装置の停止要因を減らすことができ、廃棄物処理効率を低下させてしまうのを回避できる。
【００２０】
なお、本発明の廃棄物処理設備の臭気処理機構は、上記実施形態に限定されるものではない。上記実施形態では、臭気ガスをボイラ７の燃焼装置に導入する構成としたが、ボイラ以外の他の一般的な脱臭装置に接続する構成とすることもできる。
また、上記実施形態では、臭気路９に導入されるガスとして、ごみピット２内の臭気ガス以外に圧縮プレス３内の内部ガスを導入するように構成したが、その他、水処理設備等の付帯設備から生じる臭気ガス等を導入するように構成することもできる。
また、上記実施形態では、モニター等からなる表示装置１５によって、開閉装置１１ｂの状態を表示したが、例えば、ブザーやランプ等、作業者に開閉装置１１ｂの状態を認識させることできれば、いかなる報知手段を採ることもできる。
【図面の簡単な説明】
【００２１】
【図１】本発明の一実施形態に係る廃棄物処理設備の臭気処理機構の概略図である。
【符号の説明】
【００２２】
１      廃棄物処理設備
２      ごみピット
７      ボイラ（燃焼装置）
８      フィルタ
９      臭気路
１０    押込送風機
１１    外気導入路
１１ｂ  開閉装置
１２    制御装置（制御手段）
１３    圧力センサ（検知手段）
１５    表示装置（報知手段）
【図１】
2008281237.tif 000003